(57)【要約】【課題】連携するＰＯＳ端末と決済端末とを動的に組み合わせることができ、カード情報をＰＯＳ端末に記憶させずに決済処理を行うことができる。【解決手段】決済処理システムは、ＰＯＳ端末と、決済端末と、サーバ装置とを含む。ＰＯＳ端末は、サーバ装置と通信する通信部と、決済端末に決済処理させるための決済金額をサーバ装置に送信する制御部とを備える。サーバ装置は、ＰＯＳ端末又は決済端末と通信する通信部と、ＰＯＳ端末から決済金額を受信し、受信した決済金額を決済端末に送信する制御部とを備える。決済端末は、サーバ装置と通信する通信部と、サーバ装置から決済金額を受信し、受信した決済金額に基づいて決済処理を実行する制御部とを備える。【選択図】図１
2018151875.tif 000002
【特許請求の範囲】
【請求項１】
ＰＯＳ端末と、決済端末と、サーバ装置とを含む決済処理システムであって、
前記ＰＯＳ端末は、
前記サーバ装置と通信する通信部と、
前記決済端末に決済処理させるための決済金額を前記サーバ装置に送信する制御部と、
を備え、
前記サーバ装置は、
前記ＰＯＳ端末又は前記決済端末と通信する通信部と、
前記ＰＯＳ端末から前記決済金額を受信し、受信した前記決済金額を前記決済端末に送信する制御部と、
を備え、
前記決済端末は、
前記サーバ装置と通信する通信部と、
前記サーバ装置から前記決済金額を受信し、受信した前記決済金額に基づいて決済処理を実行する制御部と、
を備えることを特徴とする決済処理システム。
【請求項２】
複数の前記ＰＯＳ端末を含み、
前記サーバ装置は、各ＰＯＳ端末それぞれから受信した決済金額に基づく決済処理の状態を管理するデータベースを備え、
前記サーバ装置の前記制御部は、決済処理が開始されていない決済金額を前記決済端末に送信し、
前記決済端末は、前記サーバ装置から単一または複数の決済金額を受信した場合に、決済処理する決済金額を選択する選択部を備え、
前記決済端末の前記制御部は、前記選択部が選択した決済金額に基づいて決済処理を実行する
ことを特徴とする請求項１に記載の決済処理システム。
【請求項３】
前記サーバ装置の前記制御部は、決済金額とともに当該決済金額の送信元となる前記ＰＯＳ端末を識別する識別情報を送信し、
前記決済端末の前記選択部は、決済金額と前記ＰＯＳ端末の識別情報とを対応付けて表示して、決済金額を選択する入力を受け付ける
ことを特徴とする請求項２に記載の決済処理システム。
【請求項４】
ＰＯＳ端末と、決済端末と、サーバ装置とを含む決済処理システムにおける前記ＰＯＳ端末であって、
前記サーバ装置と通信する通信部と、
前記決済端末に決済処理させるための決済金額を前記サーバ装置に送信する制御部と、
を備えることを特徴とするＰＯＳ端末。
【請求項５】
ＰＯＳ端末と、決済端末と、サーバ装置とを含む決済処理システムにおける前記サーバ装置であって、
前記ＰＯＳ端末又は前記決済端末と通信する通信部と、
前記ＰＯＳ端末から決済金額を受信し、決済処理させるために、受信した決済金額を前記決済端末に送信する制御部と、
を備えることを特徴とするサーバ装置。
【請求項６】
ＰＯＳ端末と、決済端末と、サーバ装置とを含む決済処理システムにおける前記決済端末であって、
前記サーバ装置と通信する通信部と、
前記サーバ装置から受信した決済金額に基づいて決済処理を実行する制御部と、
を備えることを特徴とする決済端末。
【発明の詳細な説明】
【技術分野】
【０００１】
本発明は、決済処理システム、ＰＯＳ端末、サーバ装置及び決済端末に関する。
【背景技術】
【０００２】
ＰＯＳ端末で算出した売上金額を、クレジットカードによる決済処理を実行する決済端末で決済するシステムがある（例えば、特許文献１参照）。このようなシステムにおいて、ＰＯＳ端末と決済端末とが連携していない場合には、ＰＯＳ端末で算出した金額を手動で決済端末に入力する必要がある。そのため、入力ミス等によりＰＯＳ端末で算出した金額と異なる金額が決済端末に入力され、異なった金額で決済されてしまうことがあった。また、ＰＯＳ端末と決済端末とが連携している場合には、通常、ＰＯＳ端末と決済端末とが有線で接続されており、決済端末を使用するには、顧客がＰＯＳ端末と接続された決済端末の設置場所までカードを持って行くか、店員が顧客のカードを預かってＰＯＳ端末と接続された決済端末の設置場所までカードを持って行く必要があった。また、ＰＯＳ端末にカード読み取り装置が付加されている場合には、カードから読み込んだ会員番号等の個人情報がＰＯＳ端末に記憶される。
【先行技術文献】
【特許文献】
【０００３】
【特許文献１】特開２０１２−２２６３９４号公報
【発明の概要】
【発明が解決しようとする課題】
【０００４】
しかしながら、店員が顧客のカードを預かることは、スキミング等の不正につながることもあり、セキュリティ上危険である。また、最近ではカードのＩＣ化により本人確認を暗証番号で行うため、顧客がＰＯＳ端末と接続された決済端末の設置場所まで行く必要があった。また、ＰＯＳ端末と決済端末とが有線で接続されている場合、決済端末が接続されているＰＯＳ端末を使用しなければ、カード決済をすることができないという問題がある。また、ＰＯＳ端末に会員番号等の個人情報が記憶された場合、記憶された個人情報の漏えい等のセキュリティ上の危険性もある。
【０００５】
そこで、本発明は上述の事情を鑑みてなされたものであり、連携するＰＯＳ端末と決済端末とを動的に組み合わせることができ、カード情報をＰＯＳ端末に記憶させずに決済処理を行うことができる決済処理システム、ＰＯＳ端末、サーバ装置及び決済端末を提供することを目的とする。
【課題を解決するための手段】
【０００６】
本発明の幾つかの態様は、ＰＯＳ端末と、決済端末と、サーバ装置とを含む決済処理システムであって、前記ＰＯＳ端末は、前記サーバ装置と通信する通信部と、前記決済端末に決済処理させるための決済金額を前記サーバ装置に送信する制御部と、を備え、前記サーバ装置は、前記ＰＯＳ端末又は前記決済端末と通信する通信部と、前記ＰＯＳ端末から前記決済金額を受信し、受信した前記決済金額を前記決済端末に送信する制御部と、を備え、前記決済端末は、前記サーバ装置と通信する通信部と、前記サーバ装置から前記決済金額を受信し、受信した前記決済金額に基づいて決済処理を実行する制御部と、を備えることを特徴とする決済処理システムである。
【０００７】
また、本発明の他の態様の決済処理システムにおいて、複数の前記ＰＯＳ端末を含み、前記サーバ装置は、各ＰＯＳ端末それぞれから受信した決済金額に基づく決済処理の状態を管理するデータベースを備え、前記サーバ装置の前記制御部は、決済処理が開始されていない決済金額を前記決済端末に送信し、前記決済端末は、前記サーバ装置から単一または複数の決済金額を受信した場合に、決済処理する決済金額を選択する選択部を備え、前記決済端末の前記制御部は、前記選択部が選択した決済金額に基づいて決済処理を実行することを特徴とする。
【０００８】
また、本発明の他の態様の決済処理システムにおいて、前記サーバ装置の前記制御部は、決済金額とともに当該決済金額の送信元となる前記ＰＯＳ端末を識別する識別情報を送信し、前記決済端末の前記選択部は、決済金額と前記ＰＯＳ端末の識別情報とを対応付けて表示して、決済金額を選択する入力を受け付けることを特徴とする。
【０００９】
また、本発明の他の態様は、ＰＯＳ端末と、決済端末と、サーバ装置とを含む決済処理システムにおける前記ＰＯＳ端末であって、前記サーバ装置と通信する通信部と、前記決済端末に決済処理させるための決済金額を前記サーバ装置に送信する制御部と、を備えることを特徴とするＰＯＳ端末である。
【００１０】
また、本発明の他の態様は、ＰＯＳ端末と、決済端末と、サーバ装置とを含む決済処理システムにおける前記サーバ装置であって、前記ＰＯＳ端末又は前記決済端末と通信する通信部と、前記ＰＯＳ端末から決済金額を受信し、決済処理させるために、受信した決済金額を前記決済端末に送信する制御部と、を備えることを特徴とするサーバ装置である。
【００１１】
また、本発明の他の態様は、ＰＯＳ端末と、決済端末と、サーバ装置とを含む決済処理システムにおける前記決済端末であって、前記サーバ装置と通信する通信部と、前記サーバ装置から受信した決済金額に基づいて決済処理を実行する制御部と、を備えることを特徴とする決済端末である。
【００１２】
本発明によれば、連携するＰＯＳ端末と決済端末とを動的に組み合わせることができ、カード情報をＰＯＳ端末に記憶させずに決済処理を行うことができる。
【図面の簡単な説明】
【００１３】
【図１】本発明の本実施形態における決済処理システムの全体構成を示す図である。
【図２】本実施形態における決済端末の構成を示すブロック図である。
【図３】本実施形態におけるＰＯＳ端末の構成を示すブロック図である。
【図４】本実施形態におけるＰＯＳ連携サーバの構成を示すブロック図である。
【図５】本実施形態における店舗情報データベースのデータ構造及びデータ例を示す概略図である。
【図６】本実施形態におけるＰＯＳ決済データベースのデータ構造及びデータ例を示す概略図である。
【図７】本実施形態におけるＰＯＳ端末が表示する画面の一例を示すイメージ図である。
【図８】本実施形態における決済端末が表示する画面の一例を示すイメージ図である。
【図９】本実施形態における決済処理システムのＰＯＳ連携処理の動作の一例を示すシーケンス図である。
【図１０】本実施形態における決済処理システムのＰＯＳ連携処理の動作の一例を示すシーケンス図である。
【図１１】本実施形態におけるＰＯＳ端末が実行するＰＯＳ連携処理の処理手順を示したフローチャートである。
【図１２】本実施形態における決済端末が実行するＰＯＳ連携決済処理の処理手順を示したフローチャートである。
【図１３】本実施形態におけるＰＯＳ連携サーバが実行するＰＯＳ連携処理の処理手順を示したフローチャートである。
【図１４】本実施形態におけるＰＯＳ連携サーバが実行するＰＯＳ連携処理の処理手順を示したフローチャートである。
【図１５】決済処理システムの他の構成例を示す図である。
【図１６】決済処理システムの他の構成例を示す図である。
【図１７】決済処理システムの他の構成例を示す図である。
【発明を実施するための形態】
【００１４】
以下、本発明の実施形態について、図面を参照しながら説明する。なお、各図において同一部分には同一符号を付している。図１は、本実施形態における決済処理システムＳ１の全体構成を示す図である。決済処理システムＳ１は、クレジットカードやデビットカード、電子マネー等のカードを使って決済処理を行うシステムである。同図に示すように、決済処理システムＳ１は、決済端末１と、ＰＯＳ端末２と、ＰＯＳ連携サーバ３とを含んでいる。決済端末１とＰＯＳ端末２とは、無線ルータ４を介して、無線ＬＡＮ（Ｌｏｃａｌ  Ａｒｅａ  Ｎｅｔｗｏｒｋ）等による無線接続により通信する。また、決済端末１及びＰＯＳ端末２は、無線ルータ４を介して、公衆無線通信網を経由してＰＯＳ連携サーバ３と通信する。無線ルータ４は、有線ＬＡＮと無線ＬＡＮのアクセスポイント機能を備え、公衆無線通信網を介してデータ通信を行う。
【００１５】
なお、同図においては、決済端末１を２台、ＰＯＳ端末２を３台示しているが、これに限らず、決済端末１及びＰＯＳ端末２は１台であってもよいし、複数台であってもよい。また、決済端末１の台数とＰＯＳ端末２の台数とは、同一であってもよいし、異なっていてもよい。
【００１６】
決済端末１は、クレジットカードやデビットカードや電子マネー等のカードの読取や暗証番号の入力をする装置である。ＰＯＳ端末２は、クレジットやデビットの売上、取消や口座振替の受付、取消といった業務内容の選択や金額等の取引内容を入力する装置である。
【００１７】
ＰＯＳ連携サーバ３は、例えば、情報処理センタ等に設置され、決済処理システムＳ１を統括して制御するサーバ装置である。ＰＯＳ連携サーバ３は、決済に関する決済情報及び決済端末１の管理をする。また、ＰＯＳ連携サーバ３は、決済端末１とＰＯＳ端末２とを組み合わせて連携させる機能を持つ。また、ＰＯＳ連携サーバ３は、クレジットカード等の決済をするカード決済サービスセンタや電子マネーの決済をする電子マネーセンタとの中継機能を有する。
【００１８】
次に、決済端末１について説明する。図２は、本実施形態における決済端末１の構成を示すブロック図である。図示するように、決済端末１は、制御部１０１と、表示部１０２と、印字部１０３と、無線通信部１０４と、キー入力部１０５と、ＩＣカード読取部１０６と、磁気カード読取部１０７とを備える。
【００１９】
制御部１０１は、ＣＰＵ（Ｃｅｎｔｒａｌ  Ｐｒｏｃｅｓｓｉｎｇ  Ｕｎｉｔ）を備え、決済端末１全体を制御する。表示部１０２は、液晶ディスプレイ（ＬＣＤ、Ｌｉｑｕｉｄ  Ｃｒｙｓｔａｌ  Ｄｉｓｐｌａｙ）や有機ＥＬ（Ｅｌｅｃｔｒｏ−Ｌｕｍｉｎｅｓｃｅｎｃｅ）ディスプレイ等であり、様々な情報を表示する。
【００２０】
印字部１０３は、用紙に印字して伝票を発行するプリンタである。無線通信部１０４は、ＰＯＳ端末２やＰＯＳ連携サーバ３と無線通信する。キー入力部１０５は、各種ボタンや表示部１０２上に配置されたタッチパネル等であり、操作者等からの入力を受け付ける。
【００２１】
ＩＣカード読取部１０６は、ＩＣカードからカードに関するカード情報を読み取るカードリーダである。磁気カード読取部１０７は、磁気カードからカード情報を読み取るカードリーダである。
【００２２】
次に、ＰＯＳ端末２について説明する。図３は、本実施形態におけるＰＯＳ端末２の構成を示すブロック図である。図示するように、ＰＯＳ端末２は、制御部２０１と、表示部２０２と、印字部２０３と、通信部２０４と、キー入力部２０５と、現金収納部２０６と、磁気カード読取部２０７とを備える。
【００２３】
制御部２０１は、ＣＰＵを備え、ＰＯＳ端末２全体を制御する。表示部２０２は、液晶ディスプレイや有機ＥＬディスプレイ等であり、様々な情報を表示する。印字部２０３は、用紙に印字して伝票を発行するプリンタである。
【００２４】
通信部２０４は、決済端末１やＰＯＳ連携サーバ３と通信する。キー入力部２０５は、各種ボタンや表示部２０２上に配置されたタッチパネル等であり、操作者等からの入力を受け付ける。現金収納部２０６は、現金を収納するドロアである。磁気カード読取部２０７は、磁気カードからカード情報を読み取るカードリーダである。
【００２５】
次に、ＰＯＳ連携サーバ３について説明する。図４は、本実施形態におけるＰＯＳ連携サーバ３の構成を示すブロック図である。図示するように、ＰＯＳ連携サーバ３は、制御部３０１と、通信制御部３０２と、クレジット決済制御部３０３と、ＰＯＳ決済データベース３０４と、店舗情報データベース３０５とを備える。
【００２６】
制御部３０１は、ＣＰＵを備え、ＰＯＳ連携サーバ３全体を制御する。通信制御部３０２は、他の装置（例えば、決済端末１やＰＯＳ端末２）と通信する。クレジット決済制御部３０３は、決済端末１から受信した決済処理情報に基づいて、カード決済サービスセンタや電子マネーセンタと接続してクレジットカードや電子マネーによる決済処理を実行する。
【００２７】
ＰＯＳ決済データベース３０４は、各ＰＯＳ端末２から送信されたＰＯＳ連携要求の一覧を記憶する。ＰＯＳ連携要求は、決済端末１に決済処理させる決済金額（売上金額）を含み、ＰＯＳ端末２と決済端末１とを組み合わせて連携させる要求である。店舗情報データベース３０５は、各店舗に設置された決済端末１の一覧を記憶する。
【００２８】
図５は、本実施形態における店舗情報データベース３０５のデータ構造及びデータ例を示す概略図である。店舗情報データベース３０５は、システム店舗番号と、決済端末１の端末識別番号とを対応付けて記憶する。システム店舗番号は、各店舗の識別番号である。また、決済端末１の端末識別番号は、対応する店舗に設置される決済端末１の識別番号である。
【００２９】
図示する例では、システム店舗番号「１４０１００１２３４」の店舗には、端末識別番号「１１１１１２３４５６７８９０」、「１１１１２２２２２２２２２２」及び「１１１１３３３３３３３３３３」の３台の決済端末１が設置される。また、システム店舗番号「１４０１００１１１１」の店舗には、端末識別番号「１２３４１１１１１１１１１１」及び「１２３４０９８７６５４３２１」の２台の決済端末１が設置される。また、システム店舗番号「１５０２００３３３３」の店舗には、端末識別番号「５５５５１２３４５６７８９０」の１台の決済端末１が設置される。
【００３０】
図６は、本実施形態におけるＰＯＳ決済データベース３０４のデータ構造及びデータ例を示す概略図である。ＰＯＳ決済データベース３０４は、システム店舗番号と、ＰＯＳ番号と、金額と、端末識別番号と、状態とを対応付けて記憶する。システム店番号は、店舗の識別番号である。ＰＯＳ番号は、ＰＯＳ端末２の識別番号である。金額は、決済処理する売上金額（決済金額）である。端末識別番号は、ＰＯＳ端末２と連携して決済金額に基づく決済処理を実行する決済端末１の端末識別番号である。状態は、決済処理の状態を示す。例えば、状態「端末接続待ち」は、決済処理が開始されておらず、決済端末１と接続するのを待機している状態である。なお、「端末接続待ち」の状態から、決済端末１には接続せず、現金決済や電子マネーでの決済をして完了するケースもあるが、当該ケースについて本実施形態での説明は割愛する。
【００３１】
状態「決済完了待ち」は、決済端末１において決済処理が開始されており、ＰＯＳ連携サーバ３を介した決済処理が完了するのを待機している状態である。また、状態「ＰＯＳ完了待ち」は、決済端末１における決済処理が完了しており、ＰＯＳ端末２における処理が完了する（ＰＯＳ連携サーバ３が、ＰＯＳ端末２からＰＯＳ連携完了通知を受信する）のを待機している状態である。なお、システム店番号とＰＯＳ番号と金額との組み合わせが、ＰＯＳ連携要求である。
【００３２】
図示する例では、システム店番号「１４０１００１２３４」のＰＯＳ番号「０１」の金額「４６０」は、状態が「端末接続待ち」である。また、システム店番号「１４０１００１２３４」のＰＯＳ番号「０２」の金額「６８０」は、端末識別番号が「１１１１２２２２２２２２２２」であり、状態が「決済完了待ち」である。また、システム店番号「１４０１００１２３４」のＰＯＳ番号「０３」の金額「１５３，０００」は、端末識別番号が「１１１１３３３３３３３３３３」であり、状態が「ＰＯＳ完了待ち」である。また、システム店番号「１４０１００１１１１」のＰＯＳ番号「０２」の金額「９，８００」は、状態が「端末接続待ち」である。なお、システム店番号「１５０２００３３３３」では、ＰＯＳ連携要求が登録されていない。
【００３３】
次に、本実施形態による決済処理システムＳ１における動作を説明する。決済処理システムＳ１では、クレジットカードやデビットカードや電子マネーにより取引を決済する場合には、ＰＯＳ端末２において算出した売上金額を、ＰＯＳ端末２と連携する決済端末１が決済処理する。このとき、ＰＯＳ連携サーバ３が、ＰＯＳ端末２と連携する決済端末１を決定し、ＰＯＳ端末２が算出した売上金額を決済端末１に送信して決済処理させる。
【００３４】
図７は、本実施形態におけるＰＯＳ端末２が表示する画面の一例を示すイメージ図である。例えば、ＰＯＳ端末２は、売上げる商品の登録が完了すると、商品の合計金額である売上金額を算出し、図７（Ａ）に示す精算画面を表示する。精算画面には、登録された商品の商品名及び金額の一覧「コーヒー  １００、紅茶  １１０、ケーキ  ２５０」と、その合計金額である売上金額「４６０」と、現金で決済するための現金ボタンと、電子マネーで決済するための電子マネーボタンと、クレジットカードで決済するためのクレジットボタンとが表示される。
【００３５】
ＰＯＳ端末２は、精算画面においてクレジットボタンが選択され、決済端末１においてクレジットカードによる決済処理が開始されると、図７（Ｂ）に示す通信中画面を表示する。通信中画面には、自装置を示す「ＰＯＳ０１」と、ＰＯＳ端末２と連携して売上金額を決済処理する決済端末１を示す「決済端末０１」と、決済端末１が決済処理中であることを示す「通信中」と、売上金額「４６０」と、現金ボタンと、電子マネーボタンと、クレジットボタンとが表示される。このとき、クレジットボタンは、選択されたことを示すため、現金ボタン及び電子マネーボタンとは異なる表示態様（例えば、ボタンの色を変更する）で表示される。
【００３６】
その後、ＰＯＳ端末２は、決済端末１において決済処理が完了すると、図７（Ｃ）に示す完了画面を表示する。完了画面には、自装置を示す「ＰＯＳ０１」と、ＰＯＳ端末２と連携して売上金額を決済処理する決済端末１を示す「決済端末０１」と、決済処理が完了したことを示す「完了」と、売上金額「４６０」と、現金ボタンと、電子マネーボタンと、クレジットボタンとが表示される。このとき、クレジットボタンは、選択されたことを示すため、現金ボタン及び電子マネーボタンとは異なる表示態様（例えば、ボタンの色を変更する）で表示される。
【００３７】
図８は、本実施形態における決済端末１が表示する画面の一例を示すイメージ図である。決済端末１は、初期状態のときには、図８（Ａ）に示す初期画面を表示している。初期画面には、処理を開始するための開始ボタンが表示される。
【００３８】
決済端末１は、初期画面において開始ボタンが入力を受け付け、ＰＯＳ連携サーバ３からＰＯＳ番号及び売上金額の一覧を受信すると、図８（Ｂ）に示す選択画面を表示する。選択画面には、受信したＰＯＳ番号及び売上金額の一覧「ＰＯＳ０１  ４６０、ＰＯＳ０２  １９８０」が選択可能に表示される。
【００３９】
決済端末１は、選択画面において、一覧から決済処理する売上金額が選択され、選択された売上金額に基づく決済処理を開始すると、図８（Ｃ）に示す決済処理中画面を表示する。決済処理中画面には、連携するＰＯＳ端末２「ＰＯＳ０１」と、決済処理する売上金額「４６０」と、決済処理中であることを示す「センタと通信中」とが表示される。
【００４０】
決済端末１は、決済処理が完了すると、図８（Ｄ）に示す決済完了画面を表示する。決済完了画面には、連携するＰＯＳ端末２「ＰＯＳ０１」と、決済処理した売上金額「４６０」と、決済処理が完了したことを示す「完了」とが表示される。
【００４１】
図９及び図１０は、本実施形態における決済処理システムＳ１のＰＯＳ連携処理の動作の一例を示すシーケンス図である。本図には、システム店舗番号「１４０１００１２３４」の店舗に設置されたＰＯＳ番号「０１」のＰＯＳ端末２が算出した売上金額「４６０」を、端末識別番号「１１１１１２３４５６７８９０」の決済端末１がクレジットカードにより決済処理する場合の動作を示す。
【００４２】
まず、操作者は、ＰＯＳ端末２において、商品の登録が完了し、精算画面（図７（Ａ））が表示されると、クレジットカードにより決済すべく、精算画面に表示されたクレジットボタンを押下する。ＰＯＳ端末２は、精算画面においてクレジットボタンが入力を受け付け、クレジットカードによる決済が発生する（ステップＳ１０１）と、ＰＯＳ連携要求をＰＯＳ連携サーバ３に送信する（ステップＳ１０２）。ＰＯＳ連携要求は、ＰＯＳ端末２が設置されている店舗のシステム店舗番号「１４０１００１２３４」と、ＰＯＳ端末２のＰＯＳ番号「０１」と、売上金額「４６０」とを含む。
【００４３】
ＰＯＳ連携サーバ３は、ＰＯＳ端末２からＰＯＳ連携要求を受信すると、受信したＰＯＳ連携要求をＰＯＳ決済データベース３０４に追加する（ステップＳ１０３）。
【００４４】
続いて、操作者は、決済処理させる決済端末１を選択し、選択した決済端末１に表示されている初期画面（図８（Ａ））の開始ボタンを押下する。決済端末１は、初期画面において開始ボタンが入力を受け付けると、ＰＯＳ端末２と連携して決済処理するＰＯＳ連携決済処理を開始する（ステップＳ１０４）。その後、決済端末１は、自装置の端末識別番号「１１１１１２３４５６７８９０」を含むＰＯＳ連携問合せをＰＯＳ連携サーバ３に送信する（ステップＳ１０５）。
【００４５】
ＰＯＳ連携サーバ３は、決済端末１からＰＯＳ連携問合せを受信すると、受信したＰＯＳ連携問合せに含まれる端末識別番号「１１１１１２３４５６７８９０」に対応するシステム店舗番号「１４０１００１２３４」を店舗情報データベース３０５から読み出し、システム店舗番号が「１４０１００１２３４」であって、状態が「端末接続待ち」であるＰＯＳ連携要求をＰＯＳ決済データベース３０４から検索する（ステップＳ１０６）。そして、ＰＯＳ連携サーバ３は、検索した結果であるＰＯＳ連携応答を決済端末１に送信する（ステップＳ１０７）。ＰＯＳ連携応答には、検索したＰＯＳ番号及び売上金額の一覧（ＰＯＳ番号０１  ４６０、ＰＯＳ番号０２  １９８０）が含まれる。
【００４６】
決済端末１は、ＰＯＳ連携サーバ３からＰＯＳ連携応答を受信すると、受信したＰＯＳ連携応答に含まれるＰＯＳ番号及び売上金額の一覧を選択画面（図８（Ｂ））に表示する（ステップＳ１０８）。そして、決済端末１は、選択画面においてＰＯＳ番号の選択入力を受け付ける（ステップＳ１０９）。操作者は、選択画面に表示されたＰＯＳ番号及び売上金額の一覧から、ＰＯＳ番号「０１」を選択する。
【００４７】
決済端末１は、選択画面においてＰＯＳ番号の選択入力を受け付けると、ＰＯＳ選択通知をＰＯＳ連携サーバ３に送信する（ステップＳ１１０）。当該ＰＯＳ選択通知には、選択したＰＯＳ番号「０１」及び売上金額「４６０」が含まれる。
【００４８】
ＰＯＳ連携サーバ３は、決済端末１からＰＯＳ選択通知を受信すると、ＰＯＳ連携通知をＰＯＳ端末２に送信する（ステップＳ１１１）。ＰＯＳ連携通知には、端末識別番号「１１１１１２３４５６７８９０」と、ＰＯＳ番号「０１」と、売上金額「４６０」とが含まれる。
【００４９】
ＰＯＳ端末２は、ＰＯＳ連携サーバ３からＰＯＳ連携通知を受信すると、受信したＰＯＳ連携通知に含まれるＰＯＳ番号と売上金額とを照合し（ステップＳ１１２）、通信中画面（図７（Ｂ））を表示する。その後、ＰＯＳ端末２は、ＰＯＳ連携サーバ３にＰＯＳ連携確認を送信する（ステップＳ１１３）。ＰＯＳ連携確認には、ステップＳ１１２における照合の確認結果が含まれる。
【００５０】
ＰＯＳ連携サーバ３は、ＰＯＳ端末２からＰＯＳ連携確認を受信すると、ＰＯＳ選択応答を決済端末１に送信する（ステップＳ１１４）。ＰＯＳ選択応答には、ＰＯＳ番号「０１」と売上金額「４６０」とが含まれる。その後、ＰＯＳ連携サーバ３は、システム店舗番号「１４０１００１２３４」とＰＯＳ番号「０１」と売上金額「４６０」とに対応するＰＯＳ連携要求に端末識別番号「１１１１１２３４５６７８９０」を書き込み、状態を決済完了待ちにして、ＰＯＳ決済データベース３０４を更新する（ステップＳ１１５）。
【００５１】
決済端末１は、ＰＯＳ連携サーバ３からＰＯＳ選択応答を受信すると、受信したＰＯＳ選択応答に含まれるＰＯＳ番号「０１」と売上金額「４６０」とを決済処理中画面（図８（Ｃ））に表示する（ステップＳ１１６）。その後、決済端末１は、ＰＯＳ連携サーバ３を介してクレジットカードによる決済処理を実行する（ステップＳ１１７）。
【００５２】
決済端末１は、決済処理が完了すると、決済完了画面（図８（Ｄ））を表示し、決済完了通知をＰＯＳ連携サーバ３に送信する（ステップＳ１１８）。ＰＯＳ決済完了通知には、決済処理が完了した状態を示す完了状態（決済完了）と、決済処理に用いたカードのカード情報の一部とが含まれる。この一部情報とは、例えば、決済完了時に発行するレシートなどに印字する、複数桁あるカード番号のうちの数桁のみの情報等、カード情報を特定することは不可能な程度の情報である。一部情報の具体例としては、１６桁のカード番号のうち、下４桁のみを数字で示す「＊＊＊＊  ＊＊＊＊  ＊＊＊＊  １２３４」等である。
【００５３】
ＰＯＳ連携サーバ３は、決済端末１から決済完了通知を受信すると、ＰＯＳ決済データベース３０４の端末識別番号「１１１１１２３４５６７８９０」に対応する状態をＰＯＳ完了待ちに更新する（ステップＳ１１９）。その後、ＰＯＳ連携サーバ３は、ＰＯＳ連携応答をＰＯＳ端末２に送信する（ステップＳ１２０）。ＰＯＳ連携応答には、端末識別番号「１１１１１２３４５６７８９０」と、完了状態（決済完了）と、カード情報の一部とが含まれる。
【００５４】
ＰＯＳ端末２は、ＰＯＳ連携サーバ３からＰＯＳ連携応答を受信すると、完了画面（図７（Ｃ））を表示し、ＰＯＳ連携完了通知をＰＯＳ連携サーバ３に送信する（ステップＳ１２１）。ＰＯＳ連携サーバ３は、ＰＯＳ端末２からＰＯＳ連携完了通知を受信すると、システム店舗番号「１４０１００１２３４」とＰＯＳ番号「０１」と売上金額「４６０」とに対応するＰＯＳ連携要求をＰＯＳ決済データベース３０４から削除する（ステップＳ１２２）。その後、処理を終了する。
【００５５】
このように、ＰＯＳ端末２からの、決済に関するＰＯＳ連携要求をＰＯＳ連携サーバ３が記憶し、決済端末１が、ＰＯＳ連携サーバ３との送受信によりＰＯＳ端末２を選択する。よって、ＰＯＳ端末２と決済端末１は、その時の状況により、ＰＯＳ連携サーバ３で動的に組み合わせることができる。また、ＰＯＳ端末２には、原則的に、カード情報内の個人情報等の重要情報が送信されず記憶されないため、個人情報の漏えい等のセキュリティ上の危険性を回避することもできる。
【００５６】
図１１は、本実施形態におけるＰＯＳ端末２が実行するＰＯＳ連携処理の処理手順を示したフローチャートである。本図には、上述した決済処理システムＳ１のＰＯＳ連携処理においてＰＯＳ端末２が実行する処理を示す。なお、対応がある場合には、図９および図１０における処理番号も付記する。
【００５７】
（ステップＳ２０１）制御部２０１は、通信部２０４を介して、ＰＯＳ連携要求をＰＯＳ連携サーバ３に送信する（ステップＳ１０２に対応）。その後、ステップＳ２０２の処理に進む。
（ステップＳ２０２）制御部２０１は、通信部２０４を介して、ＰＯＳ連携通知をＰＯＳ連携サーバ３から受信する（ステップＳ１１１に対応）。その後、ステップＳ２０３の処理に進む。
【００５８】
（ステップＳ２０３）制御部２０１は、ＰＯＳ連携通知に含まれるＰＯＳ番号及び売上金額を照合する（ステップＳ１１２に対応）。例えば、制御部２０１は、ＰＯＳ番号が自装置のものであって、売上金額がステップＳ２０１において送信したＰＯＳ連携要求に含まれるものと同一である場合に照合結果をＯＫとし、そうでない場合に照合結果をＮＧとする。その後、ステップＳ２０４の処理に進む。
【００５９】
（ステップＳ２０４）制御部２０１は、照合結果がＯＫであるかＮＧであるかを判定する。照合結果がＯＫであると制御部２０１が判定した場合には、ステップＳ２０５の処理に進む。また、照合結果がＮＧであると制御部２０１が判定した場合には、処理を終了する。
【００６０】
（ステップＳ２０５）制御部２０１は、通信部２０４を介して、照合結果がＮＧであることを示すＰＯＳ連携確認をＰＯＳ連携サーバ３に送信する。その後、処理を終了する。
【００６１】
（ステップＳ２０６）制御部２０１は、通信部２０４を介して、照合結果がＯＫであることを示すＰＯＳ連携確認をＰＯＳ連携サーバ３に送信する（ステップＳ１１３に対応）。その後、ステップＳ２０７の処理に進む。
（ステップＳ２０７）制御部２０１は、通信部２０４を介して、ＰＯＳ連携応答をＰＯＳ連携サーバ３から受信する（ステップＳ１２０に対応）。その後、ステップＳ２０８の処理に進む。
【００６２】
（ステップＳ２０８）制御部２０１は、受信したＰＯＳ連携応答の応答内容が、決済処理が完了したことを示す決済完了であるか、決済処理が失敗したことを示す決済失敗であるかを判定する。決済完了であると制御部２０１が判定した場合には、ステップＳ２０９の処理に進む。また、決済失敗であると制御部２０１が判定した場合には、処理を終了する。
【００６３】
（ステップＳ２０９）制御部２０１は、通信部２０４を介して、ＰＯＳ連携完了通知をＰＯＳ連携サーバ３に送信する（ステップＳ１２１に対応）。その後、処理を終了する。
【００６４】
図１２は、本実施形態における決済端末１が実行するＰＯＳ連携決済処理の処理手順を示したフローチャートである。本図には、上述した決済処理システムＳ１のＰＯＳ連携処理において決済端末１が実行する処理を示す。なお、対応がある場合には、図９および図１０における処理番号も付記する。
【００６５】
（ステップＳ３０１）制御部１０１は、無線通信部１０４を介して、ＰＯＳ連携問合せをＰＯＳ連携サーバ３に送信する（ステップＳ１０５に対応）。その後、ステップＳ３０２の処理に進む。
（ステップＳ３０２）制御部１０１は、無線通信部１０４を介して、ＰＯＳ連携応答をＰＯＳ連携サーバ３から受信する（ステップＳ１０７に対応）。その後、ステップＳ３０３の処理に進む。
【００６６】
（ステップＳ３０３）制御部１０１は、受信したＰＯＳ連携応答の応答内容が、ＰＯＳ番号及び売上金額の一覧が含まれている決済要求有りであるか、ＰＯＳ番号及び売上金額の一覧が含まれていない決済要求無しであるかを判定する。決済要求有りであると制御部１０１が判定した場合には、ステップＳ３０５の処理に進む。また、決済要求無しであると制御部１０１が判定した場合には、ステップＳ３０４の処理に進む。
【００６７】
（ステップＳ３０４）制御部１０１は、決済要求無しである旨を示す画面を表示部１０２に表示する。その後、処理を終了する。
【００６８】
（ステップＳ３０５）制御部１０１は、ＰＯＳ連携応答に含まれるＰＯＳ番号及び売上金額の一覧を表示部１０２に表示する（ステップＳ１０８に対応）。その後、ステップＳ３０６に進む。
（ステップＳ３０６）制御部１０１は、ＰＯＳ番号の選択入力を受け付ける（ステップＳ１０９に対応）。その後、ステップＳ３０７の処理に進む。
【００６９】
（ステップＳ３０７）制御部１０１は、無線通信部１０４を介して、選択されたＰＯＳ番号及び売上金額を含むＰＯＳ選択通知をＰＯＳ連携サーバ３に送信する（ステップＳ１１０に対応）。その後、ステップＳ３０８の処理に進む。
（ステップＳ３０８）制御部１０１は、無線通信部１０４を介して、ＰＯＳ選択応答をＰＯＳ連携サーバ３から受信する（ステップＳ１１４に対応）。その後、ステップＳ３０９の処理に進む。
【００７０】
（ステップＳ３０９）制御部１０１は、受信したＰＯＳ選択応答の応答内容が、ＰＯＳ番号及び売上金額を含む決済要求有りであるか、ＰＯＳ番号及び売上金額を含まない決済要求無しであるかを判定する。決済要求有りであると制御部１０１が判定した場合には、ステップＳ３１１の処理に進む。また、決済要求無しであると制御部１０１が判定した場合には、ステップＳ３１０の処理に進む。
【００７１】
（ステップＳ３１０）制御部１０１は、決済要求無しである旨を示す画面を表示部１０２に表示する。その後、処理を終了する。
【００７２】
（ステップＳ３１１）制御部１０１は、受信したＰＯＳ選択応答に含まれるＰＯＳ番号及び売上金額を表示部１０２に表示する（ステップＳ１１６に対応）。その後、ステップＳ３１２の処理に進む。
（ステップＳ３１２）制御部１０１は、受信したＰＯＳ選択応答に含まれるＰＯＳ番号を確認する。その後、ステップＳ３１３の処理に進む。
【００７３】
（ステップＳ３１３）制御部１０１は、例えば、ＩＣカード読取部１０６や磁気カード読取部１０７が読み取ったカード情報や、キー入力部１０５に入力された暗証番号等に基づいて、ＰＯＳ連携サーバ３と通信することにより、売上金額を決済処理する（ステップＳ１１７に対応）。その後、ステップＳ３１４の処理に進む。
【００７４】
（ステップＳ３１４）制御部１０１は、無線通信部１０４を介して、決済処理の決済結果を含む決済完了通知をＰＯＳ連携サーバ３に送信する（ステップＳ１１８に対応）。その後、処理を終了する。
【００７５】
図１３及び図１４は、本実施形態におけるＰＯＳ連携サーバ３が実行するＰＯＳ連携処理の処理手順を示したフローチャートである。本図には、上述した決済処理システムＳ１のＰＯＳ連携処理においてＰＯＳ連携サーバ３が実行する処理を示す。なお、対応がある場合には、図９および図１０における処理番号も付記する。
【００７６】
（ステップＳ４０１）制御部３０１は、通信制御部３０２を介して、ＰＯＳ連携要求をＰＯＳ端末２から受信する（ステップＳ１０２に対応）。その後、ステップＳ４０２の処理に進む。
（ステップＳ４０２）制御部３０１は、受信したＰＯＳ連携要求をＰＯＳ決済データベース３０４に登録する（ステップＳ１０３に対応）。その後、ステップＳ４０３の処理に進む。
【００７７】
（ステップＳ４０３）制御部３０１は、通信制御部３０２を介して、ＰＯＳ連携問合せを決済端末１から受信する（ステップＳ１０５に対応）。その後、ステップＳ４０４の処理に進む。
（ステップＳ４０４）制御部３０１は、受信したＰＯＳ連携問合せに含まれる端末識別番号を店舗情報データベース３０５から検索する（ステップＳ１０６に対応）。その後、ステップＳ４０５の処理に進む。
【００７８】
（ステップＳ４０５）制御部３０１は、受信したＰＯＳ連携問合せに含まれる端末識別番号が店舗情報データベース３０５に登録されているか否かを判定する。登録されていると制御部３０１が判定した場合には、ステップＳ４０７の処理に進む。また、登録されていないと制御部３０１が判定した場合には、ステップＳ４０６の処理に進む。
【００７９】
（ステップＳ４０６）制御部３０１は、通信制御部３０２を介して、端末が登録されていないことを示すＰＯＳ連携応答を決済端末１に送信する。その後、処理を終了する。
【００８０】
（ステップＳ４０７）制御部３０１は、受信したＰＯＳ連携問合せに含まれる端末識別番号に対応するシステム店舗番号を店舗情報データベース３０５から特定する。そして、制御部３０１は、特定したシステム店舗番号に対応するＰＯＳ連携要求であって、状態が端末接続待ちのものを検索する。その後、ステップＳ４０８の処理に進む。
【００８１】
（ステップＳ４０８）制御部３０１は、該当するＰＯＳ連携要求が有るか否かを判定する。有ると制御部３０１が判定した場合には、ステップＳ４１０の処理に進む。また、無いと制御部３０１が判定した場合には、ステップＳ４０９の処理に進む。
【００８２】
（ステップＳ４０９）制御部３０１は、通信制御部３０２を介して、決済要求無しを示すＰＯＳ連携応答を決済端末１に送信する。その後、処理を終了する。
【００８３】
（ステップＳ４１０）制御部３０１は、該当するＰＯＳ連携要求のＰＯＳ番号及び売上金額の一覧を生成する。その後、ステップＳ４１１の処理に進む。
（ステップＳ４１１）制御部３０１は、通信制御部３０２を介して、生成したＰＯＳ番号及び売上金額の一覧を含み、決済要求有りを示すＰＯＳ連携応答を決済端末１に送信する（ステップＳ１０７に対応）。その後、ステップＳ４１２の処理に進む。
【００８４】
（ステップＳ４１２）制御部３０１は、通信制御部３０２を介して、ＰＯＳ選択通知を決済端末１から受信する（ステップＳ１１０に対応）。その後、ステップＳ４１３の処理に進む。
（ステップＳ４１３）制御部３０１は、ＰＯＳ選択通知に含まれるＰＯＳ番号及び売上金額に対応するＰＯＳ連携要求をＰＯＳ決済データベース３０４から検索する。その後、ステップＳ４１４の処理に進む。
【００８５】
（ステップＳ４１４）制御部３０１は、該当するＰＯＳ連携要求が有るか否かを判定する。有ると制御部３０１が判定した場合には、ステップＳ４１５の処理に進む。また、無いと制御部３０１が判定した場合には、ステップＳ４２０の処理に進む。
【００８６】
（ステップＳ４１５）制御部３０１は、該当するＰＯＳ連携要求の状態をＰＯＳ決済データベース３０４において確認する。その後、ステップＳ４１６の処理に進む。
（ステップＳ４１６）制御部３０１は、状態が端末接続待ちであるか否かを判定する。端末接続待ちであると制御部３０１が判定した場合には、ステップＳ４１７の処理に進む。また、端末接続待ちでないと制御部３０１が判定した場合には、ステップＳ４２０の処理に進む。
【００８７】
（ステップＳ４１７）制御部３０１は、通信制御部３０２を介して、決済要求有りを示すＰＯＳ連携通知をＰＯＳ端末２に送信する（ステップＳ１１１に対応）。その後、ステップＳ４１８の処理に進む。
（ステップＳ４１８）制御部３０１は、通信制御部３０２を介して、ＰＯＳ連携確認をＰＯＳ端末２から受信する（ステップＳ１１３に対応）。その後、ステップＳ４１９の処理に進む。
【００８８】
（ステップＳ４１９）制御部３０１は、受信したＰＯＳ連携確認に含まれる照合結果がＯＫであるかＮＧであるかを判定する。ＯＫであると制御部３０１が判定した場合には、ステップＳ４２１の処理に進む。また、ＮＧである制御部３０１が判定した場合には、ステップＳ４２０の処理に進む。
【００８９】
（ステップＳ４２０）制御部３０１は、通信制御部３０２を介して、決済要求無しを示すＰＯＳ選択応答を決済端末１に送信する。その後、処理を終了する。
【００９０】
（ステップＳ４２１）制御部３０１は、通信制御部３０２を介して、ＰＯＳ番号及び売上金額を含み、決済要求有りを示すＰＯＳ選択応答を決済端末１に送信する（ステップＳ１１４に対応）。その後、ステップＳ４２２の処理に進む。
【００９１】
（ステップＳ４２２）制御部３０１は、ＰＯＳ決済データベース３０４において、該当するＰＯＳ連携要求の状態を決済完了待ちに更新する（ステップＳ１１５に対応）。その後、ステップＳ４２３の処理に進む。
（ステップＳ４２３）制御部３０１は、通信制御部３０２を介して、決済完了通知を決済端末１から受信する（ステップＳ１１８に対応）。その後、ステップＳ４２４の処理に進む。
【００９２】
（ステップＳ４２４）制御部３０１は、受信した決済完了通知に含まれる決済結果がＯＫ（決済完了）であるかＮＧ（決済失敗）であるかを判定する。ＯＫであると制御部３０１が判定した場合には、ステップＳ４２６の処理に進む。また、ＮＧであると制御部３０１が判定した場合には、ステップＳ４２５の処理に進む。
【００９３】
（ステップＳ４２５）制御部３０１は、通信制御部３０２を介して、決済結果が決済失敗を示すＰＯＳ連携応答をＰＯＳ端末２に送信する。その後、ステップＳ４２９の処理に進む。
【００９４】
（ステップＳ４２６）制御部３０１は、通信制御部３０２を介して、決済結果が決済完了を示すＰＯＳ連携応答をＰＯＳ端末２に送信する（ステップＳ１２０に対応）。その後、ステップＳ４２７の処理に進む。
（ステップＳ４２７）制御部３０１は、ＰＯＳ決済データベース３０４において、該当するＰＯＳ連携要求の状態をＰＯＳ完了待ちに更新する（ステップＳ１１９に対応）。その後、ステップＳ４２８の処理に進む。
【００９５】
（ステップＳ４２８）制御部３０１は、通信制御部３０２を介して、ＰＯＳ連携完了通知をＰＯＳ端末２から受信する（ステップＳ１２１に対応）。その後、ステップＳ４２９の処理に進む。
（ステップＳ４２９）制御部３０１は、該当するＰＯＳ連携要求をＰＯＳ決済データベース３０４から削除する（ステップＳ１２２に対応）。その後、処理を終了する。
【００９６】
上述したとおり、本実施形態では、決済処理システムＳ１は、決済端末１と、ＰＯＳ端末２と、ＰＯＳ連携サーバ３とを備える。ＰＯＳ端末２は、ＰＯＳ連携サーバ３と通信する通信部２０４と、決済端末１に決済処理させるための決済金額（売上金額）をＰＯＳ連携サーバ３に送信する制御部２０１と、を備える。ＰＯＳ連携サーバ３は、ＰＯＳ端末２又は決済端末１と通信する通信制御部３０２と、ＰＯＳ端末２から決済金額を受信し、受信した決済金額を決済端末１に送信する制御部３０１と、を備える。決済端末１は、ＰＯＳ連携サーバ３と通信する無線通信部１０４と、ＰＯＳ連携サーバ３から決済金額を受信し、受信した決済金額に基づいて決済処理を実行する制御部１０１と、を備える。
【００９７】
これにより、ＰＯＳ端末２と決済端末１との組み合わせをＰＯＳ連携サーバ３で動的に組み合わせることができる。よって、ＰＯＳ端末２の台数と決済端末１の台数とが同数である必要がなく、また、どのＰＯＳ端末２でも決済端末１を使用することが可能になる。また、ＰＯＳ端末２で算出された売上金額を手動で決済端末１に入力する必要が無くなり、入力ミスによる売上金額の間違えを軽減することが可能になる。また、ＰＯＳ端末２と決済端末１とが接続されている必要がないため、顧客がＰＯＳ端末２の設置された場所まで移動する必要がなくなり利便性が向上する。
【００９８】
また、決済処理システムＳ１は、複数のＰＯＳ端末２を備え、ＰＯＳ連携サーバ３は、各ＰＯＳ端末２それぞれから受信した決済金額に基づく決済処理の状態を管理するＰＯＳ決済データベース３０４を備え、制御部３０１は、決済処理が開始されていない決済金額を決済端末１に送信する。これにより、ＰＯＳ端末２が複数台ある場合であっても、どのＰＯＳ端末２でも決済端末１を使用することができる。
【００９９】
また、決済端末１の制御部１０１は、ＰＯＳ連携サーバ３から単一または複数の決済金額を受信した場合に、決済処理する決済金額を選択し、選択した決済金額に基づいて決済処理を実行する。この際、制御部１０１は、決済金額とＰＯＳ番号とを対応付けて表示部１０２に表示して、決済金額を選択する入力を受け付ける。これにより、操作者は、決済端末１で決済処理する取引（決済金額）を表示された一覧の中から選択することができ、利便性が向上する。
【０１００】
なお、上述した実施形態における決済端末１、ＰＯＳ端末２またはＰＯＳ連携サーバ３が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【０１０１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１０２】
以上、本発明の実施形態について説明したが、本発明は、上記実施形態に限定されるものではなく、本発明の趣旨を逸脱しない範囲において種々の変更を加えることが可能である。
【０１０３】
例えば、上述した実施形態では、複数台ある決済端末１及びＰＯＳ端末２が無線ルータを介して公衆無線通信網を経由し、ＰＯＳ連携サーバ３と通信する決済処理システムＳ１について説明したが、決済処理システムの構成はこれに限られない。例えば、図１５に示すように、決済端末１及びＰＯＳ端末２の台数がそれぞれ１台ずつであってもよい。また、図１６に示すように、決済端末１及びＰＯＳ端末２の台数がそれぞれ１台ずつであって、決済端末１は直接公衆無線通信網に接続し、ＰＯＳ端末２はルータを介して公衆無線通信網に接続してもよい。或いは、図１７に示すように、決済端末１の台数が複数台であって、ＰＯＳ端末２の台数は決済端末１より多く、決済端末１は直接公衆無線通信網に接続し、ＰＯＳ端末２はルータを介して公衆無線通信網に接続してもよい。
【０１０４】
また、上述した実施形態では、情報処理センタに設置されたＰＯＳ連携サーバ３が決済端末１とＰＯＳ端末２とを組み合わせて連携させる機能を持つが、これに限らず、店舗内に設置されたサーバ装置がＰＯＳ連携サーバ３の機能を備えていてもよい。或いは、ＰＯＳ端末２のうち１台がＰＯＳ連携サーバ３の機能を備えていてもよい。
【符号の説明】
【０１０５】
Ｓ１・・・決済処理システム、１・・・決済端末、２・・・ＰＯＳ端末、３・・・ＰＯＳ連携サーバ、１０１・・・制御部、１０２・・・表示部、１０３・・印字部、１０４・・・無線通信部、１０５・・・キー入力部、１０６・・・ＩＣカード読取部、１０７・・・磁気カード読取部、２０１・・・制御部、２０２・・・表示部、２０３・・・印字部、２０４・・・通信部、２０５・・・キー入力部、２０６・・・現金収納部、２０７・・・磁気カード読取部、３０１・・・制御部、３０２・・・通信制御部、３０３・・・クレジット決済制御部、３０４・・・ＰＯＳ決済データベース、３０５・・・店舗情報データベース
【図１】
2018151875.tif 000003
【図２】
2018151875.tif 000004
【図３】
2018151875.tif 000005
【図４】
2018151875.tif 000006
【図５】
2018151875.tif 000007
【図６】
2018151875.tif 000008
【図７】
2018151875.tif 000009
【図８】
2018151875.tif 000010
【図９】
2018151875.tif 000011
【図１０】
2018151875.tif 000012
【図１１】
2018151875.tif 000013
【図１２】
2018151875.tif 000014
【図１３】
2018151875.tif 000015
【図１４】
2018151875.tif 000016
【図１５】
2018151875.tif 000017
【図１６】
2018151875.tif 000018
【図１７】
2018151875.tif 000019